(57)【要約】【課題】屋外広告看板の耐久性の向上を図ることができると共に、広告板を胴縁に簡単かつ強固に取り付けることができる広告板用取付金具及びそれを用いた屋外広告看板を提供する。【解決手段】載置板２と縦板３と突出部４と挿入板５を備えた広告板用取付金具１及びその対称形の広告板用取付金具１１。屋外広告看板２１は、地面２５に少なくとも１つの支柱２２を立設し、支柱２２の正面側に複数の金属製の胴縁２３を固定し、広告板用取付金具１、１１により、広告板２４の背面側を胴縁２３の正面側に取り付けたものであって、広告板用取付金具１、１１の挿入板５を縦枠３１の隙間３１ｂから空洞部３１ａ内に挿入し、広告板用取付金具１、１１を回転させて載置板２を胴縁２３上に載置し、広告板用取付金具１、１１の縦板３を縦枠３１にビス止めし、広告板用取付金具１、１１の載置板２を胴縁２３にビス止めしたものである。【選択図】図１
2015148651.tif 000002
【特許請求の範囲】
【請求項１】
長手方向の一端部側にビス孔を有する載置板と、
前記載置板の長手方向の他端部側における側端部に上方へ突出するように設けられかつビス孔を有する縦板と、
前記載置板の長手方向の他端部側における下面に前記載置板の幅方向に沿って延びるようにかつ先端部が前記縦板より外側へ突出するように設けられた突出部と、
前記突出部の先端部に面方向が前記載置板の面方向に対して直角になるようにかつ長手方向が前記載置板の長手方向に対して平行になるように設けられると共に、対角線方向に対向する少なくとも２つの角部が面取りされた挿入板
を備えたことを特徴とする広告板用取付金具。
【請求項２】
前記載置板の長手方向の他端部に突出板を下方へ突出するように設けた請求項１に記載の広告板用取付金具。
【請求項３】
前記挿入板の４つの角部を面取りした請求項１又は２に記載の広告板用取付金具。
【請求項４】
地面に少なくとも１つの支柱を立設し、
前記支柱の正面側に複数の金属製の胴縁を互いに間隔を開けて水平に固定し、
請求項１から３のいずれかに記載の広告板用取付金具により、左右２つの縦枠及び上下２つの横枠を有する金属製の枠材の正面側に面材が固定された広告板の背面側を前記胴縁の正面側に取り付けた屋外広告看板であって、
前記縦枠内に上下方向に延びる空洞部を設け、
前記縦枠の内側面に上下方向に延びる隙間を前記空洞部に連通するように設け、
前記広告板用取付金具の挿入板を前記縦枠の隙間から空洞部内に挿入し、
前記広告板用取付金具を回転させて前記載置板を前記胴縁上に載置し、
前記広告板用取付金具の縦板を前記縦枠にビス止めし、
前記広告板用取付金具の載置板を前記胴縁にビス止めした
ことを特徴とする屋外広告看板。
【請求項５】
前記枠材の内方に少なくとも１つの金属製の縦桟を設け、
前記縦桟内に上下方向に延びる空洞部を設け、
前記縦桟の側面に上下方向に延びる隙間を前記縦桟の空洞部に連通するように設け、
前記広告板用取付金具の挿入板を前記縦桟の隙間から空洞部内に挿入し、
前記広告板用取付金具を回転させて前記載置板を前記胴縁上に載置し、
前記広告板用取付金具の縦板を前記縦桟にビス止めし、
前記広告板用取付金具の載置板を前記胴縁にビス止めした
請求項４に記載の屋外広告看板。
【請求項６】
前記縦桟内に左右２つの前記空洞部を設け、
前記縦桟の両側面にそれぞれ前記隙間を前記縦桟の空洞部に連通するように設けた
請求項４又は５に記載の屋外広告看板。
【請求項７】
螺旋状に形成されたスパイラル筋と、前記スパイラル筋の内方又は外方に円状に並ぶようにかつ互いに間隔を開けて平行になるように連結された複数の主筋と、環状に形成されかつ前記複数の主筋の上端部近傍及び下端部近傍にそれぞれ連結された上下２つのリング筋で構成された組立鉄筋を、前記地面に設けられたコンクリート基礎に埋設し、
前記コンクリート基礎に前記支柱の下端部を埋設した
請求項４から６のいずれかに記載の屋外広告看板。
【請求項８】
前記支柱の正面側に水平板を水平に突出するように設け、
前記水平板の先端部に、少なくとも１つのビス孔を有する固定板を上方へ突出するように設け、
前記固定板の背面側に前記胴縁をビス止めした
請求項４から７のいずれかに記載の屋外広告看板。
【請求項９】
前記枠材の内方に少なくとも１つの金属製の横桟を設けた請求項４から８のいずれかに記載の屋外広告看板。
【請求項１０】
前記支柱の下部の外側に抱き柱を固定した請求項４から９のいずれかに記載の屋外広告看板。
【発明の詳細な説明】
【技術分野】
【０００１】
本発明は、屋外広告看板における広告板を、支柱に固定された胴縁に取り付けるための広告板用取付金具、及び、それを用いた屋外広告看板に関するものである。
【背景技術】
【０００２】
従来のこの種の技術としては、地面に複数の支柱を立設し、前記複数の支柱の正面側に複数の木製の胴縁を互いに間隔を開けて水平に架設し、面材の背面側に木製の枠材及び木製の桟材が固定された広告板の背面側を前記複数の胴縁の正面側にビス止めしたボード看板装置（例えば、特許文献１参照。）等が知られている。
【先行技術文献】
【特許文献】
【０００３】
【特許文献１】実開平５−０４７９８２号公報（図１、図２、図３、段落〔０００６〕、段落〔０００８〕）
【発明の開示】
【発明が解決しようとする課題】
【０００４】
しかし、上記のようなボード看板装置においては、木製の枠材、木製の桟材、及び木製の胴縁のうちの少なくともいずれかの経年劣化により、突風や台風が発生した際に広告板が風により破損したり、飛ばされたりするという問題点がある。
【０００５】
また、耐久性の向上を図るために金属製の枠材、金属製の桟材、金属製の胴縁を採用した場合には、そのままでは広告板を胴縁にビス止めしにくいという問題点がある。
【０００６】
本発明は、以上のような事情や問題点に鑑みてなされたものであり、屋外広告看板の耐久性の向上を図ることができると共に、広告板を胴縁に簡単かつ強固に取り付けることができる広告板用取付金具及びそれを用いた屋外広告看板を提供することを目的とする。
【課題を解決するための手段】
【０００７】
上記目的を達成するための第１の発明としての広告板用取付金具は、
長手方向の一端部側にビス孔を有する載置板と、
前記載置板の長手方向の他端部側における側端部に上方へ突出するように設けられかつビス孔を有する縦板と、
前記載置板の長手方向の他端部側における下面に前記載置板の幅方向に沿って延びるようにかつ先端部が前記縦板より外側へ突出するように設けられた突出部と、
前記突出部の先端部に面方向が前記載置板の面方向に対して直角になるようにかつ長手方向が前記載置板の長手方向に対して平行になるように設けられると共に、対角線方向に対向する少なくとも２つの角部が面取りされた挿入板
を備えたものである。
【０００８】
第２の発明としての広告板用取付金具は、前記載置板の長手方向の他端部に突出板を下方へ突出するように設けたものである。
【０００９】
第３の発明としての広告板用取付金具は、前記挿入板の４つの角部を面取りしたものである。
【００１０】
また、第４の発明としての屋外広告看板は、
地面に少なくとも１つの支柱を立設し、
前記支柱の正面側に複数の金属製の胴縁を互いに間隔を開けて水平に固定し、
第１から第３のいずれかの発明としての広告板用取付金具により、左右２つの縦枠及び上下２つの横枠を有する金属製の枠材の正面側に面材が固定された広告板の背面側を前記胴縁の正面側に取り付けた屋外広告看板であって、
前記縦枠内に上下方向に延びる空洞部を設け、
前記縦枠の内側面に上下方向に延びる隙間を前記空洞部に連通するように設け、
前記広告板用取付金具の挿入板を前記縦枠の隙間から空洞部内に挿入し、
前記広告板用取付金具を回転させて前記載置板を前記胴縁上に載置し、
前記広告板用取付金具の縦板を前記縦枠にビス止めし、
前記広告板用取付金具の載置板を前記胴縁にビス止めしたものである。
【００１１】
第５の発明としての屋外広告看板は、
前記枠材の内方に少なくとも１つの金属製の縦桟を設け、
前記縦桟内に上下方向に延びる空洞部を設け、
前記縦桟の側面に上下方向に延びる隙間を前記縦桟の空洞部に連通するように設け、
前記広告板用取付金具の挿入板を前記縦桟の隙間から空洞部内に挿入し、
前記広告板用取付金具を回転させて前記載置板を前記胴縁上に載置し、
前記広告板用取付金具の縦板を前記縦桟にビス止めし、
前記広告板用取付金具の載置板を前記胴縁にビス止めしたものである。
【００１２】
第６の発明としての屋外広告看板は、
前記縦桟内に左右２つの前記空洞部を設け、
前記縦桟の両側面にそれぞれ前記隙間を前記縦桟の空洞部に連通するように設けたものである。
【００１３】
第７の発明としての屋外広告看板は、
螺旋状に形成されたスパイラル筋と、前記スパイラル筋の内方又は外方に円状に並ぶようにかつ互いに間隔を開けて平行になるように連結された複数の主筋と、環状に形成されかつ前記複数の主筋の上端部近傍及び下端部近傍にそれぞれ連結された上下２つのリング筋で構成された組立鉄筋を、前記地面に設けられたコンクリート基礎に埋設し、
前記コンクリート基礎に前記支柱の下端部を埋設したものである。
【００１４】
第８の発明としての屋外広告看板は、
前記支柱の正面側に水平板を水平に突出するように設け、
前記水平板の先端部に、少なくとも１つのビス孔を有する固定板を上方へ突出するように設け、
前記固定板の背面側に前記胴縁をビス止めしたものである。
【００１５】
第９の発明としての屋外広告看板は、前記枠材の内方に少なくとも１つの金属製の横桟を設けたものである。
【００１６】
第１０の発明としての屋外広告看板は、前記支柱の下部の外側に抱き柱を固定したものである。
【発明の効果】
【００１７】
第１及び第４の発明によれば、金属製の胴縁や金属製の枠材を採用できるので、屋外広告看板の耐久性の向上を図ることができると共に、広告板を胴縁に簡単かつ強固に取り付けることができる。
【００１８】
第２及び第４の発明によれば、広告板を胴縁に取り付ける際に突出板がストッパーとして機能するので、ビス止め前に広告板が胴縁から離れるのを防止することができる。
【００１９】
第３及び第４の発明によれば、広告板を胴縁に取り付ける際の広告板用取付金具や対称形の広告板用取付金具の回転方向が制約されない。
【００２０】
第５の発明によれば、枠材の内方に少なくとも１つの金属製の縦桟を設けているので、枠材の強度をより向上させることができる。また、縦枠に加え、縦桟も広告板用取付金具又は対称形の広告板用取付金具により胴縁に取り付けているので、広告板を胴縁により強固に固定することができる。
【００２１】
第６の発明によれば、広告板の縦桟の背面側から見た右側を広告板用取付金具により胴縁に取り付けることができる一方、広告板の縦桟の背面側から見た左側を対称形の広告板用取付金具により胴縁に取り付けることもできる。
【００２２】
第７の発明によれば、コンクリート基礎の強度をより向上させることができる。
【００２３】
第８の発明によれば、胴縁を支柱に簡単かつ強固に固定することができる。
【００２４】
第９の発明によれば、枠材の強度をより向上させることができる。
【００２５】
第１０の発明によれば、支柱の下部を補強することができる。
【図面の簡単な説明】
【００２６】
【図１】実施形態における広告板用取付金具の平面側から見た斜視図である。
【図２】広告板用取付金具の底面側から見た斜視図である。
【図３】広告板用取付金具の正面図である。
【図４】広告板用取付金具の平面図である。
【図５】広告板用取付金具の右側面図である。
【図６】対称形の広告板用取付金具の左側面図である。
【図７】広告板用取付金具や対称形の広告板用取付金具を用いた屋外広告看板の概略背面図である。
【図８】図７の右方向から見た屋外広告看板の概略左側面図である。
【図９】広告板の背面側を胴縁の正面側に当接させる様子を示す要部拡大縦断面図である。
【図１０】縦桟の背面側から見た右側を広告板用取付金具により胴縁に取り付ける様子を示す要部拡大概略横断面図である。
【図１１】縦桟の背面側から見た右側を広告板用取付金具により胴縁に取り付ける様子を示す要部拡大概略斜視図である。
【図１２】縦枠の背面側から見た右側を広告板用取付金具により胴縁に取り付ける様子を示す要部拡大概略横断面図である。
【図１３】縦枠の背面側から見た左側を対称形の広告板用取付金具により胴縁に取り付ける様子を示す要部拡大概略横断面図である。
【図１４】広告板の縦枠と横桟をジョイント金物により連結した状態を示す要部拡大横断面図である。
【図１５】組立鉄筋の斜視図である。
【発明を実施するための形態】
【００２７】
以下、本発明の実施形態を図面に基づいて説明する。
本実施形態における広告板用取付金具１は、図１〜図５に示すように、載置板２と、縦板３と、突出部４と、挿入板５と、突出板６を備えている。
【００２８】
載置板２の長手方向の一端部側には、ビス孔２ａが上下方向に貫通するように設けられている。縦板３は、載置板２の長手方向の他端部側における左側端部に、上方へ突出するように設けられている。また、縦板３には、ビス孔３ａが左右方向に貫通するように設けられている。なお、載置板２のビス孔２ａの数や縦片のビス孔３ａの数は１つに限定されるものではなく、２つ以上でもよい。
【００２９】
突出部４は、載置板２の長手方向の他端部側における下面に、載置板２の幅方向に沿って延びるように、かつ、先端部が縦板３より外側へ突出するように設けられている。挿入板５は、突出部４の先端部に、面方向が載置板２の面方向に対して直角になるように、かつ、長手方向が載置板２の長手方向に対して平行になるように設けられている。また、挿入板５においては、対角線方向に対向する２つの角部５ａが面取りされている。突出板６は、載置板２の長手方向の他端部に、下方へ突出するように設けられている。なお、本実施形態においては、挿入板５の長手方向の一端部における上方の角部５ａ及び他端部における下方の角部５ａを面取りしているが、これに限定されるものではなく、挿入板５の長手方向の一端部における下方の角部５ａ及び他端部における上方の角部５ａを面取りしてもよいし、挿入板５の４つの角部５ａを面取りしてもよい。
【００３０】
一方、図６に示す広告板用取付金具１１は、広告板用取付金具１と対称形である。すなわち、対称形の広告板用取付金具１１における縦板３は、載置板２の長手方向の他端部側における右側端部に、上方へ突出するように設けられている。なお、広告板用取付金具１やその対称形の広告板用取付金具１１は金属製であり、その材質としては、ステンレス鋼等が挙げられる。
【００３１】
上記のように構成された広告板用取付金具１や対称形の広告板用取付金具１１を用いた屋外広告看板２１は、図７及び図８に示すように、２つの支柱２２と、４つの金属製の胴縁２３と、広告板２４と、８つの広告板用取付金具１と、４つの対称形の広告板用取付金具１１を備えている。
【００３２】
支柱２２は、地面２５に、互いに間隔を開けて鉛直方向に立設されている。地面２５にはコンクリート基礎２６が設けられており、支柱２２の下端部がコンクリート基礎２６に埋設されている。
【００３３】
支柱２２の下部の外側には、それぞれ抱き柱２７が固定されている。このように、支柱２２の下部の外側に抱き柱２７を固定しておけば、支柱２２の下部を補強できるという利点がある。
【００３４】
なお、支柱２２の数は２つに限定されるものではなく、１つ又は３つ以上でもよい。また、地面２５にコンクリート基礎２６を設けずに、支柱２２の下端部を地中２８に埋設してもよい。更に、支柱２２や抱き柱２７の材質は特に限定されるものではないが、金属製の支柱２２や金属製の抱き柱２７等を採用することができる。支柱２２や抱き柱２７の構成部材としては、角形鋼管等が挙げられる。
【００３５】
胴縁２３は、金属製であり、支柱２２の正面側に、互いに間隔を開けて水平に固定されている。なお、胴縁２３の数は４つに限定されるものではなく、３つ以下又は５つ以上でもよい。胴縁２３の構成部材としては、角形鋼管等が挙げられる。
【００３６】
広告板２４は、左右２つの縦枠３１及び上下２つの横枠３２を有する金属製の枠材３３と、枠材３３の正面側に固定された面材３４を備えている。枠材３３の材質としては、アルミニウム等が挙げられる。面材３４の構成部材としては、プラスチック発泡板の両面にそれぞれアルミニウム板を貼り付けたアルミニウム複合板等が挙げられる。
【００３７】
枠材３３の内方には、１つの金属製の縦桟３５が設けられている。図９〜図１１に示すように、縦桟３５内には、上下方向に延びる空洞部３５ａが設けられている。縦桟３５の側面には、上下方向に延びる隙間３５ｂが空洞部３５ａに連通するように設けられている。なお、枠材３３の内方に縦桟３５を設ける場合、縦桟３５の数は１つに限定されるものではなく、２つ以上でもよい。縦桟３５の材質としては、アルミニウム等が挙げられる。また、必要に応じ、枠材３３の内方に縦桟３５を設けていない広告板２４等を使用してもよい。
【００３８】
図９に示すように、支柱２２の正面側には、胴縁２３の数に合わせて４つの水平板２２ａが互いに間隔を開けて水平に突出するように設けられている。水平板２２ａの先端部には、左右２つのビス孔を有する固定板２２ｂが上方へ突出するように設けられている。胴縁２３は、固定板２２ｂのビス孔（図示せず）にビス２２ｃを挿通して固定板２２ｂの背面側にビス止めされている。このように、支柱２２に水平板２２ａ及び固定板２２ｂを設け、固定板２２ｂの背面側に胴縁２３をビス止めすれば、胴縁２３を支柱２２に簡単かつ強固に固定できるという利点がある。なお、支柱２２における水平板２２ａ及び固定板２２ｂの数は４つに限定されるものではなく、胴縁２３の数に合わせて適宜変更可能である。また、固定板２２ｂのビス孔の数も２つに限定されるものではなく、１つ又は３つ以上でもよい。
【００３９】
広告板用取付金具１を用い、広告板２４の縦桟３５の背面側から見た右側を胴縁２３に取り付けるには、図９〜図１１に示すように、広告板２４の背面側を胴縁２３の正面側に当接させ、突出板６を下方に向けた状態で広告板用取付金具１の挿入板５を縦桟３５の隙間３５ｂから空洞部３５ａ内に挿入し、広告板用取付金具１を時計方向に回転させて載置板２を胴縁２３上に載置し、縦板３のビス孔３ａにビス３ｃを挿通して広告板用取付金具１の縦板３を縦桟３５にビス止めし、載置板２のビス孔２ａにビス２ｃを挿通して広告板用取付金具１の載置板２を胴縁２３にビス止めすればよい。
【００４０】
また、図１２及び図１３に示すように、縦枠３１内には、上下方向に延びる空洞部３１ａが設けられている。縦枠３１の内側面には、上下方向に延びる隙間３１ｂが空洞部３１ａに連通するように設けられている。横枠３２は、縦枠３１と同様に構成されている。
【００４１】
広告板用取付金具１を用い、広告板２４の縦枠３１の背面側から見た右側を胴縁２３に取り付けるには、図１２に示すように、広告板２４の背面側を胴縁２３の正面側に当接させ、突出板６を下方に向けた状態で広告板用取付金具１の挿入板５を縦枠３１の隙間３１ｂから空洞部３１ａ内に挿入し、広告板用取付金具１を時計方向に回転させて載置板２を胴縁２３上に載置し、縦板３のビス孔３ａにビス３ｃを挿通して広告板用取付金具１の縦板３を縦枠３１にビス止めし、載置板２のビス孔２ａにビス２ｃを挿通して広告板用取付金具１の載置板２を胴縁２３にビス止めすればよい。
【００４２】
一方、対称形の広告板用取付金具１１を用い、広告板２４の縦枠３１の背面側から見た左側を胴縁２３に取り付けるには、図１３に示すように、広告板２４の背面側を胴縁２３の正面側に当接させ、突出板６を下方に向けた状態で対称形の広告板用取付金具１１の挿入板５を縦枠３１の隙間３１ｂから空洞部３１ａ内に挿入し、対称形の広告板用取付金具１１を反時計方向に回転させて載置板２を胴縁２３上に載置し、縦板３のビス孔３ａにビス３ｃを挿通して対称形の広告板用取付金具１１の縦板３を縦枠３１にビス止めし、載置板２のビス孔２ａにビス２ｃを挿通して対称形の広告板用取付金具１１の載置板２を胴縁２３にビス止めすればよい。
【００４３】
上記のような広告板用取付金具１や対称形の広告板用取付金具１１によれば、金属製の胴縁２３や金属製の枠材３３を採用できるので、屋外広告看板２１の耐久性の向上を図ることができると共に、広告板２４を胴縁２３に簡単かつ強固に取り付けることができるという利点がある。
【００４４】
ここで、図１０及び図１１に示すように、縦桟３５内に左右２つの空洞部３５ａを設け、縦桟３５の両側面にそれぞれ隙間３５ｂを空洞部３５ａに連通するように設けておけば、広告板２４の縦桟３５の背面側から見た右側を広告板用取付金具１により胴縁２３に取り付けることができる一方、広告板２４の縦桟３５の背面側から見た左側を対称形の広告板用取付金具１１により胴縁２３に取り付けることもできるという利点がある。
【００４５】
このように、枠材３３の内方に少なくとも１つの金属製の縦桟３５を設けておけば、枠材３３の強度をより向上させることができるという利点がある。また、縦枠３１に加え、縦桟３５も広告板用取付金具１又は対称形の広告板用取付金具１１により胴縁２３に取り付ければ、広告板２４を胴縁２３により強固に固定できるという利点がある。なお、枠材３３の内方に少なくとも１つの縦桟３５を設けた場合でも、縦枠３１だけを広告板用取付金具１や対称形の広告板用取付金具１１により胴縁２３に取り付けてもよい。
【００４６】
更に、載置板２の長手方向の他端部に、突出板６を下方へ突出するように設けておけば、広告板２４を胴縁２３に取り付ける際に突出板６がストッパーとして機能するので、ビス止め前に広告板２４が胴縁２３から離れるのを防止できるという利点がある。また、挿入板５の４つの角部５ａを面取りしておけば、広告板２４を胴縁２３に取り付ける際の広告板用取付金具１や対称形の広告板用取付金具１１の回転方向が制約されないという利点がある。
【００４７】
また、図７に示すように、枠材３３の内方には、左右に３つずつの金属製の横桟３６が設けられている。横桟３６は、縦桟３５と同様に構成されている。横桟３６の材質としては、アルミニウム等が挙げられる。このように、枠材３３の内方に少なくとも１つの金属製の横桟３６を設けておけば、枠材３３の強度をより向上させることができるという利点がある。なお、横桟３６の数は特に限定されるものではなく、必要に応じて適宜変更可能である。また、必要に応じ、枠材３３の内方に横桟３６を設けていない広告板２４等を使用してもよい。
【００４８】
更に、縦枠３１と横桟３６の連結手段や、縦桟３５と横桟３６の連結手段は特に限定されるものではないが、例えば、図１４のようなジョイント金物４１を採用することができる。ジョイント金物４１は、上下２つのビス孔（図示せず）を有する縦片４２と、縦片４２の側面に上下方向に互いに間隔を開けて平行に突設され、基部の両側にそれぞれ切欠部４３ｄが設けられ、かつ、ビス孔（図示せず）を有する２つの横片４３を備えている。このジョイント金物４１において、縦片４２はそのビス孔にビス４２ｃを挿通して縦枠３１の空洞部３１ａの壁面又は縦桟３５の空洞部３５ａの壁面にビス止めすればよく、横片４３はそのビス孔にビス４３ｃを挿通して横桟３６の空洞部の底面又は天井面にビス止めすればよい。
【００４９】
縦枠３１と横枠３２の連結手段も特に限定されるものではないが、例えば、ビス孔を有する縦片と、基部の両側にそれぞれ切欠部が設けられかつビス孔を有する横片でＬ字状に形成されたジョイント金物（図示せず）を採用することができる。このジョイント金物において、縦片はそのビス孔にビスを挿通して縦枠３１の空洞部３１ａの壁面にビス止めすればよく、横片はそのビス孔にビスを挿通して横枠３２の空洞部の底面又は天井面にビス止めすればよい。
【００５０】
また、図７及び図８に示すように、コンクリート基礎２６には、組立鉄筋５１も埋設されている。組立鉄筋５１は、図１５に示すように、スパイラル筋５２と、８つの主筋５３と、上下２つのリング筋５４を備えている。スパイラル筋５２は、螺旋状に形成されている。主筋５３は、スパイラル筋５２の内方に、円状に並ぶように、かつ、互いに間隔を開けて平行になるように連結されている。リング筋５４は、環状に形成され、かつ、主筋５３の上端部近傍及び下端部近傍にそれぞれ連結されている。このように、コンクリート基礎２６に組立鉄筋５１を埋設しておけば、コンクリート基礎２６の強度をより向上させることができるという利点がある。なお、主筋５３の数は８つに限定されるものではなく、７つ以下又は９つ以上でもよい。また、主筋５３は、スパイラル筋５２の外方に、円状に並ぶように、かつ、互いに間隔を開けて平行になるように連結してもよい。
【産業上の利用可能性】
【００５１】
以上のように、本発明の広告板用取付金具及びそれを用いた屋外広告看板は、屋外広告看板の耐久性の向上を図ると共に、広告板を胴縁に簡単かつ強固に取り付けるための手段として有用である。
【符号の説明】
【００５２】
１  広告板用取付金具
２  載置板
２ａ  ビス孔
３  縦板
３ａ  ビス孔
４  突出部
５  挿入板
５ａ  角部
６  突出板
１１  対称形の広告板用取付金具
２１  屋外広告看板
２２  支柱
２２ａ  水平板
２２ｂ  固定板
２３  胴縁
２４  広告板
２５  地面
２６  コンクリート基礎
２７  抱き柱
３１  縦枠
３１ａ  空洞部
３１ｂ  隙間
３３  枠材
３４  面材
３５  縦桟
３５ａ  空洞部
３５ｂ  隙間
５１  組立鉄筋
５２  スパイラル筋
５３  主筋
５４  リング筋
【図１】
2015148651.tif 000003
【図２】
2015148651.tif 000004
【図３】
2015148651.tif 000005
【図４】
2015148651.tif 000006
【図５】
2015148651.tif 000007
【図６】
2015148651.tif 000008
【図７】
2015148651.tif 000009
【図８】
2015148651.tif 000010
【図９】
2015148651.tif 000011
【図１０】
2015148651.tif 000012
【図１１】
2015148651.tif 000013
【図１２】
2015148651.tif 000014
【図１３】
2015148651.tif 000015
【図１４】
2015148651.tif 000016
【図１５】
2015148651.tif 000017